(57)【特許請求の範囲】
【請求項１】
それぞれ略直方体の箱型形状を有する一対の絶縁ケース部材を溶融接合して構成されると共に、底部に一対の端子挿入孔が設けられたケースと、
ループ状の頂部、この頂部から同一方向に伸びる一対の第１の直線部、及び一対の第１の直線部の各終端で略直角に折り曲げられてそれぞれ反対方向に伸びる一対の第２の直線部を有する一対の金属端子と、
束ねた棒状のガラス繊維材にヒューズ線が螺旋状に所定のピッチで巻回されているヒューズエレメントアセンブリを具備し、
前記一対の金属端子の各頂部は前記ケースの内部に位置し、
前記ヒューズエレメントアセンブリの両端部は前記一対の金属端子の各頂部の内側に挿入されて保持され、かつ前記ヒューズ線が各頂部で前記一対の金属端子に電気的に接合されており、
前記一対の金属端子の一対の第１の直線部は前記ケースの底部に設けられた一対の端子挿入孔を貫通して前記一対の第２の直線部が前記ケース外部に露出し、
第２の直線部は前記ケースの底部に沿うように位置して電極端子を構成し、
前記一対の絶縁ケース部材は、前記ケース内部の互いに対向する位置に、前記一対の金属端子の前記ループ状の頂部を保持する絶縁ケース部材と一体で成型された一対の壁部を有することを特徴とする表面実装型電流ヒューズ。
【請求項２】
それぞれ略直方体の箱型形状を有する一対の絶縁ケース部材を溶融接合して構成されると共に、底部に一対の端子挿入孔が設けられたケースと、
ループ状の頂部、この頂部から伸びる第１の直線部、及び第１の直線部の終端で略直角に折り曲げられた第２の直線部を有する一対の金属端子と、
束ねた棒状のガラス繊維材にヒューズ線が螺旋状に所定のピッチで巻回されているヒューズエレメントアセンブリを具備し、
前記一対の金属端子の各頂部は前記ケースの内部に位置し、
前記ヒューズエレメントアセンブリの両端部は前記一対の金属端子の各頂部の内側に挿入されて保持され、かつ前記ヒューズ線が各頂部で前記一対の金属端子に電気的に接合されており、
前記一対の金属端子の各第１の直線部は前記ケースの底部に設けられた一対の端子挿入孔を貫通して前記各第２の直線部が前記ケース外部に露出し、
第２の直線部は前記ケースの底部に沿うように位置して電極端子を構成し、
前記一対の絶縁ケース部材は、前記ケース内部の互いに対向する位置に、前記一対の金属端子の前記ループ状の頂部を保持する絶縁ケース部材と一体で成型された一対の壁部を有することを特徴とする表面実装型電流ヒューズ。
【請求項３】
前記一対の絶縁ケース部材は、前記ケース内部の互いに対向する位置に、前記ヒューズエレメントアセンブリを保持する絶縁ケース部材と一体で成型された一対の壁部を有することを特徴とする請求項１または２記載の表面実装型電流ヒューズ。
【請求項４】
前記ケースの底部及び側面にはそれぞれ、前記ヒューズ線の遮断時のガス圧を低減する排気孔が設けられていることを特徴とする請求項１または２記載の表面実装型電流ヒューズ。
【請求項５】
前記一対の金属端子の前記各第２の直線部は、前記各第１の直線部の終端で略直角に折り曲げられてそれぞれ反対方向に伸びていることを特徴とする請求項２記載の表面実装型電流ヒューズ。
【請求項６】
前記一対の金属端子の前記各第２の直線部は、前記各第１の直線部の終端で略直角に折り曲げられてそれぞれ同一方向に伸びていることを特徴とする請求項２記載の表面実装型電流ヒューズ。
【発明の詳細な説明】
【技術分野】
【０００１】
本発明は、プリント基板に表面実装される表面実装型電流ヒューズに関する。
【背景技術】
【０００２】
電子機器の小型化、高密度化に伴い、プリント基板に表面実装される表面実装型電流ヒューズにも小型化、高密度化が要求されている。この種の従来の表面実装型電流ヒューズとして、例えば、特許文献１に開示されているものが知られている。このヒューズは、可溶線（ヒューズ線）を挟持した１対の金属電極が箱型本体に両端を取り付けられ、蓋部を本体の上面より僅かに沈む位置まで押し込み、接着剤を塗布して蓋部を本体に接着固定して内部を密封し、可溶線は本体の内部空間に浮いた状態で架張されている。
【０００３】
このような構成のヒューズは、遮断時のガス圧、排気ガスの処理、端子の固定等を考慮して、蓋部の固定に接着剤を使用しているので、自動機械による製造、コスト面から難点がある。また、可溶線は本体の内部空間に浮いた状態で架張されているので、振動や衝撃などの影響を受け易く、信頼性の低下をまねく。
【特許文献１】特開平９−６３４５５号公報
【発明の開示】
【発明が解決しようとする課題】
【０００４】
本発明は上記のような事情を考慮してなされたものであり、その目的は、自動機械による製造が可能であり、かつ製造コストの低減を図ることができ、さらに振動や衝撃などの影響が少なく信頼性の高い表面実装型電流ヒューズを提供することである。
【課題を解決するための手段】
【０００５】
第１の発明の表面実装型電流ヒューズは、それぞれ略直方体の箱型形状を有する一対の絶縁ケース部材を溶融接合して構成されると共に、底部に一対の端子挿入孔が設けられたケースと、ループ状の頂部、この頂部から同一方向に伸びる一対の第１の直線部、及び一対の第１の直線部の各終端で略直角に折り曲げられてそれぞれ反対方向に伸びる一対の第２の直線部を有する一対の金属端子と、束ねた棒状のガラス繊維材にヒューズ線が螺旋状に所定のピッチで巻回されているヒューズエレメントアセンブリを具備し、前記一対の金属端子の各頂部は前記ケースの内部に位置し、前記ヒューズエレメントアセンブリの両端部は前記一対の金属端子の各頂部の内側に挿入されて保持され、かつ前記ヒューズ線が各頂部で前記一対の金属端子に電気的に接合されており、前記一対の金属端子の一対の第１の直線部は前記ケースの底部に設けられた一対の端子挿入孔を貫通して前記一対の第２の直線部が前記ケース外部に露出し、第２の直線部は前記ケースの底部に沿うように位置して電極端子を構成し、前記一対の絶縁ケース部材は、前記ケース内部の互いに対向する位置に、前記一対の金属端子の前記ループ状の頂部を保持する絶縁ケース部材と一体で成型された一対の壁部を有することを特徴とする。
【０００６】
第２の発明の表面実装型電流ヒューズは、それぞれ略直方体の箱型形状を有する一対の絶縁ケース部材を溶融接合して構成されると共に、底部に一対の端子挿入孔が設けられたケースと、ループ状の頂部、この頂部から伸びる第１の直線部、及び第１の直線部の終端で略直角に折り曲げられた第２の直線部を有する一対の金属端子と、束ねた棒状のガラス繊維材にヒューズ線が螺旋状に所定のピッチで巻回されているヒューズエレメントアセンブリを具備し、前記一対の金属端子の各頂部は前記ケースの内部に位置し、前記ヒューズエレメントアセンブリの両端部は前記一対の金属端子の各頂部の内側に挿入されて保持され、かつ前記ヒューズ線が各頂部で前記一対の金属端子に電気的に接合されており、前記一対の金属端子の各第１の直線部は前記ケースの底部に設けられた一対の端子挿入孔を貫通して前記各第２の直線部が前記ケース外部に露出し、第２の直線部は前記ケースの底部に沿うように位置して電極端子を構成し、前記一対の絶縁ケース部材は、前記ケース内部の互いに対向する位置に、前記一対の金属端子の前記ループ状の頂部を保持する絶縁ケース部材と一体で成型された一対の壁部を有することを特徴とする。
【０００７】
また、第１、第２の発明の表面実装型電流ヒューズにおいて、前記一対の絶縁ケース部材は、前記ケース内部の互いに対向する位置に、前記ヒューズエレメントアセンブリを保持する絶縁ケース部材と一体で成型された一対の壁部を有することを特徴とする。
【０００８】
さらに、第１、第２の発明の表面実装型電流ヒューズにおいて、前記ケースの底部及び側面にはそれぞれ、前記ヒューズ線の遮断時のガス圧を低減する排気孔が設けられていることを特徴とする。
【００１０】
さらに、第２の発明の表面実装型電流ヒューズにおいて、前記一対の金属端子の前記各第２の直線部は、前記各第１の直線部の終端で略直角に折り曲げられてそれぞれ反対方向に伸びていることを特徴とする。
【００１１】
さらに、第２の発明の表面実装型電流ヒューズにおいて、前記一対の金属端子の前記各第２の直線部は、前記各第１の直線部の終端で略直角に折り曲げられてそれぞれ同一方向に伸びていることを特徴とする。
【発明の効果】
【００１２】
本発明によれば、自動機械による製造が可能であり、かつ製造コストの低減を図ることができ、さらに振動や衝撃などの影響が少なく信頼性の高い表面実装型電流ヒューズを提供することができる。
【発明を実施するための最良の形態】
【００１３】
（第１の実施形態）
以下、図面を参照して本発明を実施の形態により説明する。
【００１４】
図１は、本発明の第１の実施の形態に係る表面実装型電流ヒューズの全体の構成を示しており、図１（ａ）は一部を破断して示す正面図、図１（ｂ）は図１（ａ）のＡ−Ａ´線に沿った断面図、図１（ｃ）は下面図である。本実施形態の表面実装型電流ヒューズは、ケース１０、一対の金属端子３０、及びヒューズエレメントアセンブリ４０を有する。
【００１５】
ケース１０は、それぞれ略直方体の箱型形状を有するモールド成型体からなる一対の絶縁ケース部材１１ａ、１１ｂの開放端面同士を溶融接合して構成されている。図２は、一対の絶縁ケース部材１１ａ、１１ｂの一方のみを示す斜視図である。一対の絶縁ケース部材１１ａ、１１ｂを接合した際に、図１（ｃ）に示すように、ケース１０の底部に一対の端子挿入孔１２、１３が形成されるように、一対の絶縁ケース部材１１ａ、１１ｂの底部の対応する位置には、端子挿入孔用の窪み１２ａ、１３ａが形成されている。さらに、一対の絶縁ケース部材１１ａ、１１ｂを接合した際に、図１（ｃ）に示すように、ケース１０の底部に端子挿入孔１２、１３よりも小径の一対の排気孔１４、１５が形成されるように、一対の絶縁ケース部材１１ａ、１１ｂの底部の対応する位置には、排気孔用の窪み１４ａ、１５ａが形成されている。
【００１６】
また、一対の絶縁ケース部材１１ａ、１１ｂ内部の互いに対向する位置には、図２の斜視図に示すように、ヒューズエレメントアセンブリ４０を保持するための、絶縁ケース部材と一体で成型された一対の壁部１７ａ、１８ａがそれぞれ形成されている。さらに、図２の斜視図に示すように、一対の絶縁ケース部材１１ａ、１１ｂを接合した際に、ケース１０の一対の側面に排気孔１９、２０が形成されるように、排気孔用の窪み１９ａ、２０ａが形成されている。この窪み１９ａ、２０ａのサイズは窪み１４ａ、１５ａとほぼ同様である。排気孔１９、２０が形成されるケース１０の側面は、図１（ａ）に示すように、ヒューズエレメントアセンブリ４０の両端部端面と対向する側面である。
【００１７】
一対の金属端子３０のそれぞれは、金属板もしくは丸型線材（本例では金属板）を折り曲げ加工して形成されており、図１（ｂ）に示すように、ループ状の頂部３１、この頂部３１から同一方向に伸びる一対の第１の直線部３２ａ、３２ｂ、一対の第１の直線部３２ａ、３２ｂの各終端で略直角に折り曲げられてそれぞれ反対方向に伸びる一対の第２の直線部３３ａ、３３ｂ、及び一対の第２の直線部３３ａ、３３ｂの各終端で略直角に折り曲げられて頂部３１の方向に伸びる一対の第３の直線部３４ａ、３４ｂをそれぞれ有する。すなわち、一対の金属端子３０は、略「Ω」状の形状を有する。
【００１８】
図１（ａ）に示すように、ヒューズエレメントアセンブリ４０は、束ねた棒状のガラス繊維束４１にヒューズ線４２が螺旋状に所定のピッチで巻回されている。ヒューズエレメントアセンブリ４０は、定格電流よりも大きな電流（過電流、回路故障などにより発生する異常電流）が流れた際に発生するジュール熱によりヒューズ線４２が発熱し、所定の時間で溶断することが本来の役割である。従って、ヒューズ線４２は、定格電流によって線径や時には材質などが異なり、それぞれの特性を満足するように設計し設定される。
【００１９】
ヒューズエレメントアセンブリ４０は、両端部が一対の金属端子３０の各頂部３１の内側に挿入されて保持されるように組み立てられており、かつヒューズ線４２は各頂部３１で一対の金属端子３０に対してスポット溶接または半田付け等の手段によって電気的に接合されている。
【００２０】
そして、ヒューズエレメントアセンブリ４０が組み立てられた状態で一対の金属端子３０の各頂部３１がケース１０の内部に位置するように、一対の金属端子３０の一対の第１の直線部３２ａ、３２ｂがケース１０の底部の一対の端子挿入孔１２、１３を貫通するように挿入されている。
【００２１】
図１（ｂ）に示すように、一対の金属端子３０の一対の第２の直線部３３ａ、３３ｂ及び第３の直線部３４ａ、３４ｂはケース外部に露出した状態となり、第２の直線部３３ａ、３３ｂはケース１０の底部に沿うように位置して、プリント基板に半田付けにより接合する際に使用される電極端子を構成し、第３の直線部３４ａ、３４ｂはケース側面の外形に沿うように位置してケースを両側から挟持する。第３の直線部３４ａ、３４ｂが製品の外形面から突出しないようにするために、図１に示すように、一対の絶縁ケース部材１１ａ、１１ｂに凹状部２１が形成されている。第３の直線部３４ａ、３４ｂは、さらに、プリント基板に接合した後の導通を確認するためのテスト端子としても使用できる。
【００２２】
また、一対の絶縁ケース部材１１ａ、１１ｂ内部の互いに対向する位置には、ヒューズエレメントアセンブリ４０を保持するための、絶縁ケース部材と一体で成型された一対の壁部１７ａ、１８ａが設けられている。この一対の壁部１７ａ、１８ａは、ヒューズエレメントアセンブリ４０と当接する部分が、アセンブリ４０の外形に合わせてほぼ半円状にくり抜かれており、製造時にヒューズエレメントアセンブリ４０が曲がらないようにするためのガイドの役目を果たすと共に、製造後に振動や衝撃などがヒューズエレメントアセンブリ４０に加わらないようにして信頼性を向上させる役目を果たす。さらに、一対の壁部１７ａ、１８ａは、遮断時に発生するアークガスの飛散に対してブロックする役割を有する。一般に大きな電流（短絡電流）が流れた場合、ヒューズエレメントアセンブリ４０の急激な温度上昇を伴い、ヒューズエレメントアセンブリ４０の温度上昇の一番高くなる略中央部で溶断する。この際に発生するアークガスが金属蒸気を含んでいるために、遮断後の絶縁劣化を生じ易くなる。本実施形態の表面実装型電流ヒューズのように、小型で容積の小さな製品においては、対策しなければならない重要な技術課題である。一対の壁部１７ａ、１８ａは、アークガスの飛散方向に対して影となる部分が有効に作用し、遮断後の絶縁劣化を抑制する。
【００２３】
さらに、ケース１０の底部には一対の小さな排気孔１４、１５が形成されている。この排気孔１４、１５は、遮断時にアークガス圧を低下させる効果を有する。さらに、ケース１０の側面にも一対の小さな排気孔１９、２０が形成されている。この排気孔１９、２０も、遮断時にアークガス圧を低下させる効果を有する。
【００２４】
本実施形態の表面実装型電流ヒューズは以下のように製造される。すなわち、図３の斜視図に示すように、一対の金属端子３０は、ループ状の頂部３１がある程度開いた状態で形成され、ヒューズエレメントアセンブリ４０の両端部が一対の金属端子３０の頂部３１に自動挿入される。その後、一対の第１の直線部３２ａ、３２ｂが互いに接するように押圧されて、所定の形状である略「Ω」状に整形され、さらにヒューズ線４１が溶接または半田付けされると同時に形状が固定化される。
【００２５】
そして、ヒューズエレメントアセンブリ４０が組み立てられた状態で一対の金属端子３０の各頂部３１を一方の絶縁ケース部材１１ａ（または１１ｂ）内に収納すると共に、一対の金属端子３０の一対の第１の直線部３２ａ、３２ｂを絶縁ケース部材１１ａの窪み１２ａ、１３ａに挿入し、その後、他方の絶縁ケース部材１１ｂ（または１１ａ）を被せることにより、ヒューズエレメントアセンブリ４０及び一対の金属端子３０が位置決めされる。その後、一対の絶縁ケース部材１１ａ、１１ｂの開放端面同士が溶融接合されてケース１０が構成される。この接合により一対の金属端子３０はケース１０で挟持され、その位置の安定化が図られる。
【００２６】
このように本実施形態の表面実装型電流ヒューズは、自動機械による製造に適した構造を有するために、自動機械による製造が可能である。また、従来のように接着剤を使用する必要がないので、製造コストの低減を図ることができる。
【００２７】
なお、本実施形態では、一対の金属端子３０として、金属板を折り曲げ加工して形成されるものを使用する場合について説明したが、丸型線材を折り曲げ加工して一対の金属端子３０を形成してもよい。この場合、一対の第１の直線部３２ａ、３２ｂのみを元の丸型として残し、その他の部分、すなわち、ループ状の頂部３１、一対の第２の直線部３３ａ、３３ｂ、及び一対の第３の直線部３４ａ、３４ｂをそれぞれ平板状に加工してもよい。
【００２８】
（第２の実施形態）
図４は、本発明の第２の実施の形態に係る表面実装型電流ヒューズの全体の構成を示しており、図４（ａ）は一部を破断して示す正面図、図４（ｂ）は図４（ａ）のＡ−Ａ´線に沿った断面図、図４（ｃ）は下面図である。
【００２９】
本実施形態の表面実装型電流ヒューズは、図１に示す第１の実施の形態のものと比べて、一対の金属端子３０の形状が異なる。すなわち、一対の金属端子３０のそれぞれは、金属板もしくは丸型線材（本例では金属板）を折り曲げ加工して形成されており、図４（ｂ）に示すように、ループ状の頂部３１、この頂部３１から伸びる第１の直線部３２ａ、第１の直線部３２ａの終端で略直角に折り曲げられた第２の直線部３３ａをそれぞれ有する。
【００３０】
この場合にも、ヒューズエレメントアセンブリ４０は、両端部が一対の金属端子３０の各頂部３１の内側に挿入されて保持されるように組み立てられており、かつヒューズ線４２は各頂部３１で一対の金属端子３０に対してスポット溶接または半田付け等の手段によって電気的に接合されている。
【００３１】
そして、ヒューズエレメントアセンブリ４０が組み立てられた状態で一対の金属端子３０の各頂部３１がケース１０の内部に位置するように、一対の金属端子３０の各第１の直線部３２ａがケース１０の底部の一対の端子挿入孔１２、１３を貫通するように挿入されている。
【００３２】
図４（ｂ）に示すように、一対の金属端子３０の各第２の直線部３３ａはケース外部に露出した状態となり、各第２の直線部３３ａはケース１０の底部に沿うように位置して、プリント基板に半田付けにより接合する際に使用される電極端子を構成する。この場合、一対の金属端子３０の第２の直線部３３ａは、各第１の直線部３２ａの終端で折り曲げられてそれぞれ反対方向に伸びている。すなわち、図４（ｃ）に示すように、表面実装型電流ヒューズの下面側から見ると、一対の金属端子３０の第２の直線部３３ａは対角線上に位置する。
【００３３】
本実施形態では、一対の金属端子３０はそれぞれ１本の第２の直線部３３ａを有し、この１本の第２の直線部３３ａがケースの底部に設けられた一対の端子挿入孔１２、１３を貫通するので、端子挿入孔１２、１３を構成する図２中に示す端子挿入孔用の窪み１２ａ、１３ａの形状は、図１のものよりも小さい。
【００３４】
なお、本実施形態では、一対の金属端子３０には第３の直線部３４ａが設けられていない場合について説明したが、第１の実施形態のものと同様に第３の直線部３４ａを設けるようにしてもよい。この第３の直線部３４ａは、プリント基板に接合した後の導通を確認するためのテスト端子として使用できる。
【００３５】
（第３の実施形態）
図５は、本発明の第３の実施の形態に係る表面実装型電流ヒューズの全体の構成を示しており、図５（ａ）は一部を破断して示す正面図、図５（ｂ）は図５（ａ）のＡ−Ａ´線に沿った断面図、図５（ｃ）は下面図である。
【００３６】
本実施形態の表面実装型電流ヒューズは、図４に示す第２の実施の形態のものと比べて、一対の金属端子３０の第２の直線部３３ａが各第１の直線部３２ａの終端で折り曲げられてそれぞれ同一方向に伸びている点が異なる。例えば、図５（ｃ）に示すように、表面実装型電流ヒューズの下面側から見ると、一対の金属端子３０の第２の直線部３３ａは一方の絶縁ケース部材１１ｂ側に折り曲げられている。
【００３７】
本実施形態では、第２の実施形態と同様に、一対の金属端子３０はそれぞれ１本の第２の直線部３３ａを有し、この１本の第２の直線部３３ａがケースの底部に設けられた一対の端子挿入孔１２、１３を貫通するので、端子挿入孔１２、１３を構成する図２中に示す端子挿入孔用の窪み１２ａ、１３ａの形状は、図１のものよりも小さい。
【００３８】
なお、本実施形態では、一対の金属端子３０には第３の直線部３４ａが設けられていない場合について説明したが、第１の実施形態のものと同様に第３の直線部３４ａを設けるようにしてもよい。この第３の直線部３４ａは、プリント基板に接合した後の導通を確認するためのテスト端子として使用できる。
【００３９】
（第４の実施形態）
図６は、本発明の第４の実施の形態に係る表面実装型電流ヒューズの全体の構成を示しており、図６（ａ）は一部を破断して示す正面図、図６（ｂ）は図６（ａ）のＡ−Ａ´線に沿った断面図、図６（ｃ）は下面図である。
【００４０】
本実施形態の表面実装型電流ヒューズは、図１に示す第１の実施の形態のものと比べて、一対の壁部１７ａ、１８ａがそれぞれ省略され、一対の金属端子３０の各頂部３１を保持するための、絶縁ケース部材と一体で成型された一対の壁部２２ａ、２３ａが設けられている。この一対の壁部２２ａ、２３ａは、頂部３１と当接する部分が、頂部３１の外形に合わせてほぼ半円状にくり抜かれており、組み立て時にヒューズエレメントアセンブリ４０が曲がらないようにするためのガイドの役目を果たすと共に、製造後に振動や衝撃などがヒューズエレメントアセンブリ４０に加わらないようにして信頼性を向上させる役目を果たす。さらに、一対の壁部２２ａ、２３ａは、図１に示す一対の壁部１７ａ、１８ａと同様に、遮断時に発生するアークガスの飛散に対してブロックする役割を有する。
【００４１】
なお、本実施形態の表面実装型電流ヒューズで用いられている一対の壁部２２ａ、２３ａを、第２及び第３の実施形態の表面実装型電流ヒューズに用いることができる。
【００４２】
以上、実施形態を用いて本発明を説明したが、本発明は上記実施形態に限定されるものではなく、実施段階ではその要旨を逸脱しない範囲で種々に変形することができる。また、上記実施形態には種々の段階の発明が含まれており、開示される複数の構成要件の適宜な組み合わせにより種々の発明が抽出し得る。例えば実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００４３】
【図１】本発明の第１の実施の形態に係る表面実装型電流ヒューズの全体の構成を示しており、図１（ａ）は正面図、図１（ｂ）は断面図、図１（ｃ）は下面図。
【図２】図１中の一対の絶縁ケース部材の一方のみを示す斜視図。
【図３】図１中のヒューズエレメントアセンブリの組み立て方法を説明するための斜視図。
【図４】本発明の第２の実施の形態に係る表面実装型電流ヒューズの全体の構成を示しており、図４（ａ）は正面図、図４（ｂ）は断面図、図４（ｃ）は下面図。
【図５】本発明の第３の実施の形態に係る表面実装型電流ヒューズの全体の構成を示しており、図５（ａ）は正面図、図５（ｂ）は断面図、図５（ｃ）は下面図。
【図６】本発明の第４の実施の形態に係る表面実装型電流ヒューズの全体の構成を示しており、図６（ａ）は正面図、図６（ｂ）は断面図、図６（ｃ）は下面図。
【符号の説明】
【００４４】
１０…ケース、１１ａ、１１ｂ…絶縁ケース部材、１２、１３…端子挿入孔、１２ａ、１３ａ…端子挿入孔用の窪み、１４、１５…排気孔、１４ａ、１５ａ…排気孔用の窪み、１７ａ、１８ａ…壁部、１９、２０…排気孔、１９ａ、２０ａ…排気孔用の窪み、３０…金属端子、３１…ループ状の頂部、３２ａ、３２ｂ…第１の直線部、３３ａ、３３ｂ…第２の直線部、３４ａ、３４ｂ…第３の直線部、４０…ヒューズエレメントアセンブリ、４１…ガラス繊維束、４２…ヒューズ線。
【図１】
0004348385.tif 000002
【図２】
0004348385.tif 000003
【図３】
0004348385.tif 000004
【図４】
0004348385.tif 000005
【図５】
0004348385.tif 000006
【図６】
0004348385.tif 000007